(57)【特許請求の範囲】
【請求項１】
複数のレンズ群が結像面に対して光軸方向に動くことによって、複数の焦点距離において像倍率を段階的に切り換える撮影レンズと、
前記撮影レンズを介して露光された被露光部のうち画像出力すべき範囲を指定するためのトリミング倍率に関する情報を像記録媒体に付与するトリミング情報付与手段と、
前記撮影レンズの焦点距離を切り換えるために操作されるズーム操作手段と、
前記撮影レンズを駆動するレンズ駆動手段と、
前記ズーム操作手段が操作されている時間を計測するズーム操作時間計測手段と、
前記トリミング情報付与手段及び前記レンズ駆動手段を制御する制御手段とを有し、
前記制御手段は、
前記ズーム操作時間計測手段による計測時間が所定時間以上の場合には、前記複数の焦点距離のうちいずれかの焦点距離に対応した位置に、前記レンズ駆動手段を介して前記撮影レンズを駆動し、
前記計測時間が前記所定時間よりも短い場合には、前記複数の焦点距離のうち隣り合う２つの焦点距離に対応した位置の間に位置する前記トリミング倍率に対応した位置に、前記レンズ駆動手段を介して前記撮影レンズを駆動するとともに、前記トリミング倍率に関する情報を前記トリミング情報付与手段を介して前記像記録媒体に付与することを特徴とする光学機器。
【請求項２】
前記ズーム操作手段が操作される直前における前記撮影レンズの位置を検出するための検出手段を有し、
前記制御手段は、
前記検出手段によって検出される前記撮影レンズの位置が前記各焦点距離に対応した位置である場合には、前記トリミング倍率に対応した位置への前記撮影レンズの駆動を許容し、
前記検出手段によって検出される前記撮影レンズの位置が前記トリミング倍率に対応した位置である場合には、前記各焦点距離に対応した位置への前記撮影レンズの駆動を許容することを特徴とする請求項１に記載の光学機器。
【請求項３】
前記トリミング倍率に対応した位置は、前記ズーム操作手段が操作される直前における第１の焦点距離に対応した位置と、前記第１の焦点距離と隣り合う第２の焦点距離に対応した位置との間に設けられていることを特徴とする請求項１又は２に記載の光学機器。
【発明の詳細な説明】
【０００１】
【発明の属する技術分野】
本発明は焦点調節動作と倍率切換動作とを交互に行なう撮影レンズと、疑似ズーム機構を備えたカメラ等の光学機器に係り、特にズームリングの回動操作によりレンズ群を案内部（カムストローク）に沿って光軸上移動させることにより多数点のズーム位置の選択と無限遠物体から至近物体に対する焦点調節（ピント調節）が行えるようにした３５ｍｍや２４ｍｍフィルム用カメラ、デジタルカメラ、ビデオカメラ等の光学機器に関するものである。
【０００２】
【従来の技術】
焦点調節動作と倍率切換動作とを交互に行なう撮影レンズを備えた光学機器としてのカメラとして、特公平６−１００７０７号公報、特開平９−８０２９１号公報に記載されている倍率切換装置やズーム位置切換装置を備えたものが知られている。
【０００３】
図４０は特公平６−１００７０７号公報で提案している２つのレンズ群より成る２群ズームレンズにおいて、ズームリングの回動操作によりズーム位置の選択と焦点調節を行った倍率切換装置の要部概略図である。
【０００４】
図４１は図４０の移動軌跡の拡大説明図である。図中、１０１は凸レンズユニット、１０２は絞り兼用のシャッター羽根、１０３は凹レンズユニット、１０４は撮影画面で上側に描かれている図が短焦点距離（以下、ＷＩＤＥという）状態でレンズピントが∞に合っている状態の図で、下側が長焦点距離（以下、ＴＥＬＥという）状態で、レンズピントが最至近に合っている状態で、その中間に示されている矢印Ｃ，Ｍ１〜Ｍ４，Ｎ１〜Ｎ３が右側に描かれているズームリングの各回転角に対する各レンズユニット１０１，１０３の光軸上の位置を表わしている。即ち矢印Ｃ，Ｍ１〜Ｍ４，Ｎ１〜Ｎ３は横軸をレンズの移動量、縦軸をズームリングの回転角としたときの各レンズ群の移動経過（軌跡）を示すものである。
【０００５】
図４０のＷＩＤＥのズーム位置でレンズピントが∞に合っている状態よりズームリングを３０°回転させると、凸レンズユニット１０１、シャッター１０２及び凹レンズユニット１０３が図のように一体的に移動する。この為矢印Ｍ１の間は撮影レンズ系の倍率に変化はなく、ズームリングの回転によりＷＩＤＥ状態のままピントの調整が行われ、３０°の位置でレンズピントが最至近距離に合う状態となる。
【０００６】
撮影者がもう少し倍率を上げたいということで、ノーマル（以下、ＮＯＭという）モードに切換えるとズームリングは１２０°から１５０°の間で測距情報に基づいた位置に停止する。
【０００７】
即ち、既に明白なように、ズームリングの回転が１２０°の所に来るとＮＯＭ状態（ＴＥＬＥとＷＩＤＥの中間倍率の状態）で∞にピントが合ったレンズ位置となる。この状態から更にズームリングを回転させるとＷＩＤＥのときと同様に３０°の間はレンズ系が全体繰出となってＮＯＭ状態のままピント調整が行われる。ＴＥＬＥのときも同様にズームリングを１８０°回転させるとＴＥＬＥでレンズピントが∞に合う位置まで来て、更にズームリングを回動させるとＴＥＬＥ状態のまま近距離にピントが合うようなレンズ位置となる。
【０００８】
このような構成により、単一のズームリングを回転させるのみで倍率調整とピント調整を行っている。
【０００９】
特開平１０−２８２３９３号公報のレンズ鏡筒は、特公平６−１００７０７号公報や特開平９−８０２９１号公報に記載されている倍率切換機構を使用していて、撮影時は、カメラ本体から３段の筒が繰出される構造である。その１段目は、ヘリコイドネジによる繰出し、２段目は、単一の繰出し量である直線カムによる繰出し、３段目は、特公平６−１００７０７号公報や特開平９−８０２９１号公報に記載されている形状のカムによる繰出しを行なっている。
【００１０】
また従来より、撮影光学系に単焦点レンズを使用したコンパクトなカメラでありながら、ズーム撮影を行ったとほぼ同様の効果を得るためのものとして、いわゆる疑似ズームカメラが提案されている。また、ズームレンズを使用したコンパクトなカメラにおいても、より拡大率の高い写真を得るために、望遠端で疑似ズームを使用するカメラが提案されている。
【００１１】
これらの疑似ズームカメラでは、撮影すべき範囲が決定されると、フィルム上におけるその範囲に対応した部分を指定するための表示や信号などが何等かの形でフィルムやフィルムのカートリッジにトリミング情報として付与され、プリント時には、フィルムの一駒全部ではなく、そのトリミング情報によって指定された範囲のみを拡大してプリントする事により、あたかもズームレンズを用いて撮影したかのような効果をえる事ができる。
【００１２】
特開平１１−２４２２８３号公報のカメラにおいては、テレ端までは疑似ズームを用いずに撮影し、ズームレンズの望遠端を越えた倍率の写真を撮影する際は疑似ズームを用い、複数のトリミング倍率と望遠付近の複数の撮影レンズ焦点距離との組み合わせによって、何段階の疑似ズームを行う機構が示されている。また、鏡筒とファインダーのカム溝の形状の変更とファインダーにコンバータレンズを挿脱する事の組み合わせで、疑似ズーム時も、写真にプリントされる範囲を正確に示す方法が示されている。
【００１３】
特に、特開平０７−１７５１１９号公報に記載のトリミング可能なカメラにおいては、２群の内、後群を光軸に挿脱して焦点距離を切り換える２焦点レンズにおいて、トリミングを行うことで、あたかも連続的にズーミングできるカメラが示されている。また、ズームファインダーの駆動と２焦点レンズの焦点切換が撮影者に違和感無く行われる方法が示されている。
【００１４】
疑似ズーム付きカメラのズーム制御の方法として、特開平０４−３６１２４１号公報のトリミング撮影可能なカメラにおいては、テレ端を越えた所に疑似焦点距離があり、一回目のテレ側へのズーム操作ではテレ端に停止し、再びズーム操作する事でテレ端を越えて疑似焦点距離へズーミング可能となる方法が示されている。特開２０００−１８０９４５号公報においても、ズームレンズが望遠端の状態で、ズーム操作部材を望遠側に一定時間以上操作された時、通常撮影から疑似モードに切り替えられるカメラが示されている。特開平０４−３６１２４２号公報に記載のトリミング撮影可能なカメラにおいては、カメラがテレ端に位置する際に、ズーム操作手段を長時間押す事で、疑似ズームに切り換えられる方法が示されている。特開平０４−１０９７３９号公報に記載のトリミング撮影可能なカメラにおいては、ズーム操作部材とは別に、疑似ズームと通常ズームの切換を行う操作部材を有する切換方法が示されている。
【００１５】
【発明が解決しようとする課題】
ズームレンズに疑似ズームを用いることで、実際の望遠端の焦点距離よりも長い焦点距離と同等の画角の写真を撮影できるが、フィルム等に記録された画像の一部をトリミングしてプリントしているため、写真の画質に撮影者が不満を抱く事がある。
【００１６】
また、疑似焦点距離へのズーミングと実焦点距離でのズーミングを撮影者が切り換える方法も、撮影者が誤操作したり、操作自体が煩わしいものである。
【００１７】
さらに、疑似焦点距離にズーミングされた際に、被写体観察手段（ファインダー）の視野角が、その疑似焦点距離相当に変化しない為、被写体のフレーミングが困難になったり、被写体観察手段（ファインダー）の視野角を変化させる機構を組み込む為に、カメラが大型化したり高価になったりしていた。
【００１８】
そこで、本発明は、撮影者がズーミングの微調整を求める際は、ズーミングの微調整が可能となり、それ以外の際には、高画質の写真撮影を自動的に可能とすると共に、疑似焦点距離においても視野角が素早く調節され、安価で小型な被写体観察手段を持つカメラ及び電子式カメラ等の光学機器の提供を目的とする。
【００１９】
【課題を解決するための手段】
本発明は、複数のレンズ群が結像面に対して光軸方向に動くことによって、複数の焦点距離において像倍率を段階的に切り換える撮影レンズと、撮影レンズを介して露光された被露光部のうち画像出力すべき範囲を指定するためのトリミング倍率に関する情報を像記録媒体に付与するトリミング情報付与手段と、撮影レンズの焦点距離を切り換えるために操作されるズーム操作手段と、撮影レンズを駆動するレンズ駆動手段と、ズーム操作手段が操作されている時間を計測するズーム操作時間計測手段と、トリミング情報付与手段及びレンズ駆動手段を制御する制御手段とを有し、制御手段は、ズーム操作時間計測手段による計測時間が所定時間以上の場合には、複数の焦点距離のうちいずれかの焦点距離に対応した位置に、レンズ駆動手段を介して撮影レンズを駆動し、計測時間が上記所定時間よりも短い場合には、複数の焦点距離のうち隣り合う２つの焦点距離に対応した位置の間に位置するトリミング倍率に対応した位置に、レンズ駆動手段を介して撮影レンズを駆動するとともに、トリミング倍率に関する情報をトリミング情報付与手段を介して像記録媒体に付与することを特徴とする光学機器にある。
【００２０】
本発明では、撮影者がズーミングの微調整を求める際は、焦点距離に対応した位置（後述する実焦点距離）と共に、トリミング倍率に対応した位置（後述する疑似焦点距離）も使用することで、ズーミングの微調整が可能となり、それ以外の際には、実焦点距離の撮影を行うことで、高画質の写真撮影が可能となる。
【００３９】
【発明の実施の形態】
（実施の形態１）
図１から図２５は本発明の実施形態１を示す。
図１は本発明の実施の形態1であるレンズ鏡筒の分解斜視図、図２は上記レンズ鏡筒の沈胴状態と、制御回路の構成を表す断面図、図３は上記レンズ鏡筒のワイド状態を表す断面図、図４は上記レンズ鏡筒のテレ状態を表す断面図、図５は固定筒の展開図、図６は第１直進ガイド筒の展開図、図７は第２差動カム筒の展開図、図８は第２差動カム筒の各レンズ群の移動用カム軌跡の説明図、図９はファインダーレンズ移動機構の分解斜視図、図１０はファインダーカム板の展開図（沈筒からワイドへのズーミング）、図１１はファインダーカム板の展開図（ワイドでのフォーカシング）、図１２はファインダーカム板の展開図（ワイドからＺｐ２へのズーミング）、図１３はファインダーカム板の展開図（Ｚｐ２でのフォーカシング）、図１４はファインダーカム板の展開図（Ｚｐ２からＺｐ２´へのズーミング）、図１５はファインダーカム板の展開図（Ｚｐ２´でのフォーカシング）、図１６はファインダーカム板の展開図（Ｚｐ２からＺｐ１´へのズーミング）、図１７はファインダーカム板の展開図（Ｚｐ１´でのフォーカシング）、図１８はファインダーカム板の展開図（Ｚｐ２からテレへのズーミング）、図１９はファインダーカム板の展開図（テレでのフォーカシング）、図２０は第２差動カム筒の展開図（沈筒からワイドへのズーミング、ワイドでのフォーカシング、ワイドからＺｐ２へのズーミング、Ｚｐ２でのフォーカシング）、図２１は第２差動カム筒の展開図（Ｚｐ２からＺｐ２´へのズーミング、Ｚｐ２´でのフォーカシング）、図２２は第２差動カム筒の展開図（Ｚｐ２からＺｐ１´へのズーミング、Ｚｐ１´でのフォーカシング）、図２３は第２差動カム筒の展開図（Ｚｐ２からテレへのズーミング、テレでのフォーカシング）、図２４は実施の形態１での撮影のフローチャート図、図２５は実施の形態１でのもう1つの異なる撮影動作のフローチャート図をしめしており、以下これらの図に基づいて実施の形態１を説明する。
【００４０】
（レンズ鏡筒機構の説明）
図１は、本発明の実施形態１であるカメラのレンズ鏡筒の構成を示している。このレンズ鏡筒は、いわゆる差動カム筒を２つ設けた３段沈胴式鏡筒である。１４１はカメラ本体（図４の１５９）に固定される固定筒である。この固定筒１４１の内周部には、メスヘリコイド１４１ａが形成されている。１４２は第１差動カム筒であり、その後端外周部１４２ａにはオスヘリコイド形状とギア形状が重なって形成されている。１４３は第１差動カム筒１４２の内周部に対して、相対的に回転方向のみ摺動自在に保持される第１直進ガイド筒である。第１直進ガイド筒１４３の突起部１４３ｃ及び台部１４３ｄは、固定筒１４１の内径部にある直進溝１４１ｄ・１４１ｅに嵌入している。
【００４１】
固定筒１４１に設けられた長軸ギア１２０にモーター１０８からの回転力が付与されると、長軸ギア１２０とギア結合している第１差動カム筒１４２は、固定筒１４１のメスヘリコイドとのヘリコイド結合により、回転しながら光軸方向に進退する。この時、第１直進ガイド筒１４３はその回転を固定筒１４１により規制されるように構成されているので、第１差動カム筒１４２と一体となって回転せずに光軸方向に進退する。
【００４２】
１４９は撮影光路外の有害光をカットするための第１フレアカット板である。この第１フレアカット板１４９の内周部の中央には、必要な撮影光を通すための開口１４９ａが形成されており、さらに外周部分には第１直進ガイド筒１４３の後端フランジ部１４３ａに形成された不図示の被係合部に係止される複数の係合部１４９ｂが形成されている。この構成により、第１フレアカット板１４９は第１直進ガイド筒１４３と一体となって光軸方向に進退する。
【００４３】
１４４は第１直進ガイド筒１４３の内径部に組込まれた第２差動カム筒であり、第１直進ガイド筒１４３の内径部に形成された第１カム溝１４３ｂとそのカム溝に嵌合する第２差動カム筒の駆動ピン１５１の作用により回転と同時に光軸方向に進退する。この第２差動カム筒１４４の内周部には、第２直進ガイド筒１４７が相対回転可能に組込まれる。
【００４４】
１４６はナットリングで、第２直進ガイド筒１４７の爪部１４７ａと後端フランジ部１４７ｂとの間に相対回転可能に支持される。組込み時には、第２差動カム筒１４４の駆動ピン１５１が第２差動カム筒１４４の開口１４４ａを通してナットリング１４６の外径部に形成されたナット部１４６ａと螺合し、この結果、第２差動カム筒１４４と第２直進ガイド筒１４７とは相対回転しながら第１差動カム筒１４２および第１直進ガイド筒１４３に対して光軸方向に進退する。
【００４５】
この時、さらに第２差動カム筒１４４および第２直進ガイド筒１４７の内径部において、第１レンズ群１５３を保持する１群レンズ鏡筒１４５の外側に設けられた３本の１群カムピン１４５ａが第２差動カム筒１４４の内径部に形成された第２カム溝１４４ｂに嵌合し、第２レンズ群１５２を保持する２群レンズホルダー１４８の外側に設けられた３本の２群カムピン部１４８ａが、第２差動カム筒１４４の内径部に形成された第３カム溝１４４ｃに嵌合し、それぞれのカムピンとカム溝の作用により、予め決められた光軸方向位置に駆動制御される。
【００４６】
１５０は第２フレアカット板である。この第２フレアカット板１５０の外周には被係合部１５０ａが形成されており、この被係合部１５０ａが第２直進ガイド筒１４７の後端フランジ部１４７ｂに形成された爪部１４７ｃに係止されることにより、第２フレアカット板１５０は第２直進ガイド筒１４７と共に光軸方向に進退する。この第２フレアカット板１５０の内周部の中央には、必要な撮影光を通すための開口１５０ｅが形成されている。
【００４７】
（ファインダーレンズ移動機構の構造についての説明）
先ず、ファインダー駆動に関連するレンズ鏡筒部分について、さらに詳しく説明する。図１と図９において、固定筒１４１は、円筒内周にメスヘリコイド１４１ａを持ち、外周に固定用のフランジ部分１４１ｂを持つ。さらに、その側面に穴１４１ｃを有する。さらに、内周には複数本のキー溝１４１ｄを有する。
【００４８】
第１差動カム筒１４２には、オスヘリコイドとギア形状が重ね合って形成された後端外周部１４２ａを持ち、後端外周部１４２ａは、固定筒１４１のメスヘリコイド１４１ａとヘリコイド嵌合し、また固定筒の穴１４１ｃを通して、長軸ギア１２０と噛合している。
【００４９】
以上の構成によって、長軸ギア１２０が回転すると、第１差動カム筒１４２は回転しながら固定筒１４１に対して光軸方向に繰り出す。
【００５０】
また、第１差動カム筒１４２の内周には、これと回転可能に嵌合し、かつ光軸方向には抜け出ないように固定された第１直進ガイド筒１４３が収容される。第１直進ガイド筒１４３の端部には、固定筒１４１のキー溝１４１ｄと嵌合摺動する複数本のキー１４３ｃが形成されている。従って、第１差動カム筒１４２が回転しながら固定筒１４１に対して繰り出すと、第１直進ガイド筒１４３は、第１差動カム筒１４２とは一体的に回転することなく固定筒１４１に対して光軸方向に繰り出す。
【００５１】
第１直進ガイド筒１４３の光軸方向端部上側には、台部１４３ｄが形成されており、この台部１４３ｄの上面には円柱状のピン部１４３ｅが形成されている。この台部１４３ｄは固定筒１４１の上部に光軸方向に延びるよう形成された溝部１４１ｅに嵌合し、鏡筒のズーム動作に応じて光軸方向前後に運動する。
【００５２】
なお、ピン部１４３ｅの位置は、撮影レンズ群を保持する１群レンズ鏡筒１４５と２群レンズホルダー１４８の位置と対応しているので、ピン部１４３ｅの位置を検出することによって撮影レンズの焦点距離を知ることができる。
【００５３】
次に、図９を用いて撮影レンズの変倍動作に連動して変倍動作するファインダー光学系について説明する。
【００５４】
レンズ鏡筒の固定筒１４１の上部には、ファインダーカム板２１０が配設されており、このファインダーカム板２１０は、固定筒１４１の外周に光軸方向に延びて形成された突部１４１ｆと、外周方向に形成された対向するフランジ部１４１ｂと１４１ｇとによって位置規制されて、円周方向にのみ移動可能となっている。
【００５５】
また、ファインダーカム板２１０は更に上部からファインダー地板２１１により押さえられている。ファインダー対物レンズ群２１２，２１３を保持している対物レンズ枠２１４，２１５には穴部２１４ａ，２１５ａが形成されており、これら穴部２１４ａ，２１５ａにはファインダーガイドバー２１６が貫通している。このファインダーガイドバー２１６は、ファインダー地板２１１の前端に形成された穴部２１１ａに装着されファインダー対物レンズ群２１２，２１３（レンズ枠２１４，２１５）を光軸方向前後に案内する。
【００５６】
なお、対物レンズ枠２１４，２１５の回転止めのため、これら対物レンズ枠２１４，２１５に形成されたダボ部２１４ｂ，２１５ｂが、ファインダー地板２１１に光軸方向に延びて形成された溝部２１１ｂに嵌合している。
【００５７】
また、ファインダーカム地板２１０の裏側（固定筒１４１に対向する側）には、第１カム溝２１０ａが形成されており、この第１カム溝２１０ａには第１直進ガイド筒１４３のピン部１４３ｅが嵌合している。
【００５８】
さらに、ファインダーカム板２１０には、第２および第３カム溝２１０ｂ，２１０ｃが形成されており、これら第２および第３カム溝２１０ｂ，２１０ｃには対物レンズ枠２１４，２１５のダボ部２１４ｃ，２１５ｃが嵌合している。なお、ファインダー地板２１１には、ダボ部２１４ｃ,２１５ｃが挿通される長溝（不図示）が光軸方向に沿って形成されている。
【００５９】
ここで、図１０にファインダーカム板２１０の各カム溝２１０ａ，２１０ｂ，２１０ｃを展開した形で示す。カム溝２１０ａは、図中裏面にあるのだが、説明上実線で示している。ピン部１４３ｅは、鏡筒の格納沈胴時は第１カム溝２１０ａから外れる（図中に「Ａ」で示す位置にある）。また、ワイド端では、第１カム溝２１０ａにおける図中に丸囲みの「Ｗ」で示す位置まで入る。この時各ダボ部２１４ｃ，２１５ｃは、第２および第３カム溝２１０ｂ，２１０ｃ内における図中に「Ｗ」で示す位置にある。沈胴時は、ダボ部２１４ｃ，２１５ｃは図中に丸囲みの「沈」で示す位置から「Ｗ」で示す位置まで移動する。
【００６０】
撮影レンズが繰り出されると、カム板２１０はダボ２１４ｃ，２１５ｃに対して図１０中左方向に移動し、テレ端ではピン部１４３ｅやダボ２１４ｃ，２１５ｃはカム板２１０に対して図中にて丸囲みの「Ｔ」で示す位置まで移動する。このため各ファインダーレンズ枠２１４，２１５はカム溝２１０ｂ，２１０ｃに案内されてそれぞれ光軸方向に移動する。
【００６１】
このような構成によれば、沈胴時は第１直進ガイド筒１４３とファインダーカム板２１０との連動を行なっているピン部１４３ｅが、第１カム溝２１０ａからはずれ、カム板２１０が円周方向に対してフリーになるので、図９に示すように、このカム板２１０を固定するために、カム板固定バネ２１７が設けられている。具体的には、固定バネ２１７の突部２１７ａがカム板２１０の端面２１０ｄに形成されたＶ溝２１０ｅに係合して、沈胴からワイドの間でカム板２１０を保持する。また、ワイド端からテレ端の間は、カム板２１０の端面２１０ｄとカム板固定バネ２１７とが当接して、これらの間に摩擦力が作用する。
【００６２】
このように変倍動作したファインダー対物レンズを通過した光束は、三角プリズム２１８を通った後、三角プリズム２１８とダハプリズム２１９の間のファインダー情報表示部３０８で結像される。このためダハプリズム２１９と接眼レンズ２２０とを通してファインダー像を見ることができる。
【００６３】
（実焦点距離と疑似焦点距離の説明）
図４２と図２０に示している様に、この実施の形態１のカメラは、撮影レンズでズーミング移動可能な実焦点距離は、ワイドの３５ｍｍ、Ｚｐ１の５０ｍｍ、Ｚｐ２の７０ｍｍ、Ｚｐ３の１０５ｍｍ、テレの１５０ｍｍが可能である。疑似焦点距離は、ワイドとＺｐ１の間にＷ´＝４０ｍｍとＷ´´＝４５ｍｍの２つがあり、Ｚｐ１とＺｐ２の間にＺｐ１´＝６０ｍｍがあり、Ｚｐ２とＺｐ３の間にＺｐ２´＝８５ｍｍがあり、Ｚｐ３とテレの間にＺｐ３´＝１２５ｍｍがある。
【００６４】
（レンズ鏡筒の動作の説明）
まず、カメラを使用しない沈胴状態（図２参照）についてのべる。固定筒１４１とヘリコイドと結合している第１差動カム筒１４２は、まだ固定筒１４１の前面からまだ繰出されていない。第２差動カム筒１４４の駆動ピン１５１は、第１直進ガイド筒１４３の内径部に形成された第１カム溝１４３ｂの１４３ｂ１部（図７、図８）に嵌入している。第１レンズ群を保持する１群レンズ鏡筒１４５の外側に設けられた３本の１群カムピン１４５ａは、第２差動カム筒１４４の内径部に形成された第２カム溝１４４ｂの１４４ｂ１部に嵌入し、まだ１群レンズ鏡筒１４５は第２差動カム筒１４４に対しては繰り出されていない。第２レンズ群１５２を保持する２群レンズホルダー１４８の外側に設けられた３本の２群カムピン１４８ａが、第２差動カム筒１４４の内径部に形成された第３カム溝１４４ｃの１４４ｃ１部（図７、図８）に嵌入している。以上より、沈胴時は、１群レンズ鏡筒１４５は固定筒１４１から繰り出されていない。
【００６５】
図２において、第１差動カム筒１４２の後端外周部１４２ａには、オスヘリコイドとギアが重なるように形成されて、長軸ギア１２０に噛み合い、その長軸ギア１２０は、ギア１２１を含むギア列を通じてモーター１０８に連結している。
【００６６】
１０９は４枚のプロペラ形状のパルス板で、１２２はパルス板のプロペラが通過するのを検知するＰＩ(フォトインターラプター)、１１０はそのパルス検出回路である。
【００６７】
１１１はモーターコントロール回路で、コンパレータ１12aの出力によりモーター正転用通電回路、コンパレータ１12bの出力によりモーター逆転用通電回路を形成するように構成されている。
【００６８】
１３０はレリーズボタンで、ズーミング信号処理回路１１５に、レリーズボタンの第１ストロークと第２ストロークの状態信号を伝達している。
１１３はマイコンで、被写体距離検出回路１１４及びズーミング信号処理回路１１５からの信号により、図４２で示すように第１差動カム筒回転用の演算を行なう。１１６はロジックコントロール回路で、撮影者がレリーズボタンの第１ストロークを押すことによりモーターコントロール回路１１１のモーター正転用回路を作動準備状態にする。またロジックコントロール回路１１６はレリーズボタン操作を断つとモーターコントロール回路１１１のモーター逆転用回路を作業準備状態にする。
【００６９】
前記被写体距離検出回路１１４は、測距モジュール１１７より得た被写体距離情報をデジタル化してマイコン１１３に入力する。
【００７０】
１１８は例えば、ｆ＝35mm〜１５０mmの間で倍率を変えていくズーム操作部材で、ズーム操作部材を押している時間を、ズーミング信号処理回路１１５によって処理し、処理回路１１５はポジション信号を図４２に示すような０〜５０までに数値化しマイコン１１３に入力する。
【００７１】
前記ロジックコントロール回路１１６は撮影者がレリーズボタンを第１ストロークまで押すことにより電源スイッチが入ると、測距モジュール１１７に起動信号を発し、さらに測距動作が十分終了する程度の時間を経てモーターコントロール回路１１１にモーター起動信号を発する。
【００７２】
また、マイコン１１３は、ファインダー表示制御手段３０２を制御する。
【００７３】
このカメラは、露光されたフィルムにおけるプリントすべき縦横比（アスペクト比）の画面種類（撮影画面）として、標準画面（アパーチャ全開画面）、パノラマ画面（アパーチャ上下寸法縮小画面）、クラシック画面（アパーチャ左右寸法縮小画面）、の撮影が可能であり、プリント時にその撮影時の画面種類にトリミングしてプリントできる様に、その撮影画面種類をフィルムに磁気記録する磁気記録手段３０３を、マイコン１１３が制御している。
【００７４】
また、磁気記録手段３０３は、疑似焦点距離で撮影した際の、トリミング倍率も、フィルムの磁気記録層に書き込む。
【００７５】
ここで、本明細書中「実焦点距離」は、撮影する際の撮影レンズの焦点距離、「トリミング倍率」は、像記録媒体に記録可能な最大画像に対して、表示する範囲もしくはプリントする範囲の比率、「疑似焦点距離」は、撮影する際の撮影レンズの焦点距離値とトリミング倍率値を掛け合わせた値の事を示す。
【００７６】
（沈胴状態からワイド状態までの動作の説明）
次に、図２の沈胴状態から図３のワイド待機状態までの動作を説明する。
【００７７】
使用者が、カメラのスイッチ（図外）をオンにした場合、第１差動カム筒１４２にモーター１０８による駆動源からの回転力が付与され、第１差動カム筒１４２は固定筒１４１のメスヘリコイドとのヘリコイド結合により、回転しながら光軸方向に繰り出され、第２差動カム筒１４４の駆動ピン１５１は、図６において、第１カム溝１４３ｂの１４３ｂ１部から１４３ｂ５部に一旦移動した後、連続して１４３ｂ２部まで戻り、第１直進ガイド筒１４３に対して第２差動カム筒１４４がそのカムの１４３ｂ１部と１４３ｂ２部の光軸方向量分だけ繰り出される。
【００７８】
１群レンズ鏡筒１４５の１群カムピン１４５ａは、図８において、第２カム溝１４４ｂの１４４ｂ１部から１４４ｂ５部に一旦移動した後、連続して１４４ｂ２部まで戻り、第２差動カム筒１４４に対して１群レンズ鏡筒１４５がそのカムの１４４ｂ１部と１４４ｂ２部の光軸方向量分だけ繰り出される。
【００７９】
２群レンズホルダー１４８の２群カムピン１４８ａは、第３カム溝１４４ｃの１４４ｃ１部から１４４ｃ２部まで移動し、第２差動カム筒１４４に対して第２レンズ群１５２が、そのカムの１４４ｃ１部と１４４ｃ２部の光軸方向量分だけ繰り込まれる。以上の繰り出しにより、図３のワイド待機状態に繰り出される。
【００８０】
この鏡筒が図３のワイド待機状態では、第２フレアカット板１５０は、第２レンズ１５２によって、フィルム側に押され、被係合部１５０ａは、第２直進ガイド筒１４７の爪部１４７ｃに係止されたまま、バネ部１５０ｂの弾性によって、開口１５０ｅがフィルム側に移動する。
【００８１】
この沈胴状態からワイド待機状態へ変化する際の、レンズ群の動きを、図２０にて、もう一度概要を説明する。
図２０において、第１レンズ群を移動する１群カムピン１４５ａは、第２カム溝１４４ｂに嵌入し、第２レンズ群を移動する２群カムピン１４８ａは第３カム溝１４４ｃに嵌入している。沈胴状態では、１群カムピン１４５ａ・２群カムピン１４８ａは、Ａ位置の破線上にあり、モーター１０８の正回転により、Ｂ位置を過ぎＣ位置でモーターを停止・逆転させてＤ位置で停止させる。このＤ位置がカメラのワイド待機位置である。
【００８２】
この沈胴状態からワイド待機状態へ変化する際の、ファインダーレンズ移動機構の動きについて、図１０で述べる。
【００８３】
図１０において、モーター１０８の正回転により、第１直進ガイド筒１４３のピン部１４３ｅが、沈胴のＡ位置から被写体側へ繰り出され、Ｂ位置で第１カム溝の前端２１０ａ１に接触する。さらにモーターの正回転により、ピン部１４３ｅが第１カム板を左方向に回転させ、Ｃ位置でモーターを一旦停止する。この時のカム板の回転により、ファインダーの対物レンズ枠のダボ部２１４ｃと２１５ｃが、図中の沈胴位置からワイド位置へ移動し、ファインダーはワイド状態となる。
【００８４】
なお、この図１０では、便宜上、ファインダーカム板２１０を基準にして、ピン部１４３ｅ・ダボ部２１４ｃと２１５ｃの相対移動を表しているが、実際は、ピン部１４３ｅ・ダボ部２１４ｃと２１５ｃは、光軸方向に進退するのみで、ファインダーカム板２１０が光軸周りに回転する。よって、この紙面ではファインダーカムが左方向に移動する。
【００８５】
続けてモーター１０８を逆転させて、Ｄ位置にピン部１４３ｅが繰り込まれ停止する。このＣからＤへの移動時は、ファインダーのダボ部２１４ｃと２１５ｃは移動しないので、ファインダーの倍率は変化しない。
【００８６】
（ワイド状態での撮影）
この状態で撮影者がレリーズボタン１３０の第１ストロークまで押すと、まずロジックコントロール回路１１６の信号で測距モジュール１１７により測距動作が行なわれ、被写体距離検出回路１１４に信号が送られデジタル化されて、マイコン１１３に送られる。撮影時の焦点距離を示すデジタル信号はズーミング信号処理回路１１５の出力としてマイコン１１３加えられる。このマイコン１１３は回路１１４、１１５の出力に応じて図４２に示すような演算を行なう。例えば、被写体距離が４ｍの位置でズーム操作部材１１８の切換位置がワイドのｆ＝３５ｍｍの位置とすると図４２のように両者の数を合わせて１１の数字を記憶し、これをコンパレータ１１２ａの基準値とする。
【００８７】
モーターコントロール回路１１１はロジックコントロール回路１１６からの信号によりモーター１０８を正転させ、第１差動カム筒１４２をＷＩＤＥからＴＥＬＥ方向に向って回転させる。モーター１０８の回転はパルス板１０９によりパルス化されて出力され、パルス検出回路１１０により検出されてコンパレータ１１２ａに加えられる。
【００８８】
モーター１０８の正転により次々位置信号が発せられ、やがてパルス数が１１を数えると、コンパレータ１１２ａが反転して終了信号が発せられ、モーターコントロール回路１１１はモーター１０８の両端をショートすることによりモーター１０８に電気ブレーキをかけて停止させる。
【００８９】
この事により、第１差動カム筒１４２はヘリコイドによりさらに繰り出され、図６において、第２差動カム筒の駆動ピン１５１は、モーターの回転量に応じて第１カム溝１４３ｂの１４３ｂ３部（無限位置）から１４３ｂ４部（至近位置）間の任意の位置に停止する。
【００９０】
図８において、１群レンズ鏡筒１４５の１群カムピン１４５ａは、第２カム溝１４４ｂの１４４ｂ３部から１４４ｂ４部間の任意の位置に移動し、２群レンズホルダー１４８の２群カムピン１４８ａは、第３カム溝１４４ｃの１４４ｃ３部から１４４ｃ４部間の任意の位置まで移動する。以上の繰り出しにより、１群レンズ鏡筒１４５に固定されている第１レンズ群１５３と２群レンズホルダー１４８に固定されている第２レンズ群１５２は移動し、無限から至近の被写体に応じて、ピント調節が行われる。
【００９１】
この後、撮影者がレリーズボタン１３０を第２ストロークまで押すと、公知の露光動作が行われレリーズボタン１３０が復帰すると、モーター１０８はロジックコントロール回路１１６の指令でモーターコントロール回路１１１により逆転させられ、第１差動カム筒１４２はＷＩＤＥ方向に向って回転し、初期位置に復帰すると、コンパレータ１１２ｂが反転し、モーター１０８が停止する。そして、公知の巻上手段によりフィルムが１駒分巻上げられて、再びレリーズボタン１３０を押す前の状態となる。
【００９２】
尚、以上の実施の形態では、実焦点距離を、３５〜１５０ｍｍの間における５点で切り換えるようにしたが、この点数は多くしても或いは少なくしても同様に実施できるものである。
【００９３】
（図２０にて、ワイド状態での撮影のレンズ群の動きの概要を、もう一度説明）
また、上記実施の形態ではパルス板１０９並びにパルス検出回路１１０を設けて撮影レンズの位置検出を行ないモーター１０８の停止時期を決定しているが、本発明はこれに限定されるものではなく、モーター１０８にパルスモーターを使用し、マイコン１１３からの出力パルスの数によりパルスモーターを回転させて撮影レンズの位置を決めても良いものである。このようにすれば、パルス板１０９、パルス検出回路１１０、コンパレータ１１２ａは必要なく、マイコン１１３の出力をモーターコントロール回路１１１に直接入力させるようにすれば良いものである。
【００９４】
図２０において、ワイド待機時は、第２差動カム筒１４４上の１群カムピン１４５ａと２群カムピン１４８ａは、Ｄ位置の破線上にある。レリーズボタンを第１ストロークまで押すと、Ｅ位置の一点鎖線上まで１群カムピン１４５ａと２群カムピン１４８ａは移動し、停止する。次にレリーズボタンを第２ストロークまで押すと、公知の露光動作が行われ、モーター１０８の逆回転でＤ位置まで戻り、停止する。
【００９５】
このワイド状態での撮影動作時の、ファインダーレンズ移動機構の動きについて、図１１で述べる。
【００９６】
図１１において、レリーズボタンを第１ストロークまで押すと、モーター１０８の正回転により、第１直進ガイド筒１４３のピン部１４３ｅが、ワイドのＤ位置から被写体側へ繰り出され、Ｅ位置で停止する。この時、ピン部１４３ｅは、第１カム溝２１０ａの前縁２１０ａ１と後縁２１０ａ２の間で繰り出されたので、ファインダーカム板２１０は回転せず、対物レンズのダボ部２１４ｃ・２１５ｃも光軸方向に動かない為、ファインダーの倍率は変化しない。次にレリーズボタンを第２ストロークまで押すと、公知の露光動作が行われ、モーター１０８の逆回転でピン部１４３ｅがＥ位置からＤ位置まで繰り込まれる。この時、ファインダーカム板２１０が回転しない為、ファインダーの倍率は変化しない。
【００９７】
（実焦点距離ワイドから実焦点距離Ｚｐ２までのズーミングと撮影の説明）
撮影レンズがワイド位置にあり、撮影者が、カメラのズーム操作部材をある時間押し続け、ズーミング信号処理回路がズームポジションをＺｐ２と判別した際は、図２０において、モーター１０８の正回転により、第１レンズ群を移動させる１群カムピン１４５ａと第２群レンズを動かす２群カムピン１４８ａは、Ｄ地点の破線上から、Ｃ・Ｇ地点を通過し、Ｆ地点で停止後、モーターを逆転してＧ地点の破線上の第２カム溝１４４ｂ・第３カム溝１４４ｃ内で停止する。
【００９８】
この動作時のファインダーレンズ移動機構の動きは、図１２において、第１直進ガイド筒１４３のピン部１４３ｅが、ワイドのＤ位置から繰り出され、Ｃ位置で第１カム溝の前縁２１０ａ１に接触し、ファインダーカム板２１０を回転させながらＦ位置で停止後、モーター１０８の逆転によって、Ｇ位置まで繰り込まれる。このファインダーカム板２１０の回転により、対物レンズのダボ部２１４ｃと２１５ｃはワイドからＺｐ２に移動し、ファインダーの倍率はＺｐ２の値となる。
【００９９】
次に撮影者がカメラのレリーズボタン１３０を押し撮影操作を行うと、カメラは、被写体の距離に応じて、ピント調節を行う為に、第１差動カム筒１４２にモーター１０８からの回転力が付与され、図２０において、１群レンズ鏡筒１４５の１群カムピン１４５ａは、第２カム溝１４４ｂのＧ位置からＨ位置に移動し、２群レンズホルダー１４８の２群カムピン１４８ａは、第３カム溝１４４ｃのＧ位置からＨ位置に移動する。以上の繰り出しにより、１群レンズ鏡筒１４５に固定されている第１レンズ群１５３と２群レンズホルダー１４８に固定されている第２レンズ群１５２は移動し、ピント調節が行われ、シャッター（図外）の開閉が行われ、モーター１０８を逆回転させ、鏡筒をＧ位置まで繰り込み、フィルム（図外）の巻き上げが行われる。
【０１００】
この撮影動作時のファインダーレンズ移動機構の動きは、図１３において、第１直進ガイド筒１４３のピン部１４３ｅが、Ｚｐ２のＧ位置からＨ位置まで光軸方向に繰り出すが、第１カム溝２１０ａの前縁２１０ａ１に到達しないため、ファインダーカム板２１０は静止したままである。よって、対物レンズのダボ部２１４ｃと２１５ｃはＺｐ２の位置のまま、ファインダーの倍率は変化しない。
【０１０１】
（実焦点距離Ｚｐ２から疑似焦点距離Ｚｐ２ ′までのズーミングと撮影の説明）
撮影レンズがＺｐ２位置にあり、撮影者が、カメラのズーム操作部材を０．２秒間Ｔｅｌｅ方向へ押し続け、ズーミング信号処理回路がズームポジションをＺｐ２ ′と判別した際は、図２１において、モーター１０８の正回転により、第１レンズ群を移動する１群カムピン１４５ａと２群カムピン１４８ａは、Ｇ地点の破線上から、I地点を通過し、J地点で停止する。
【０１０２】
この動作時のファインダーレンズ移動機構の動きは、図１４において、第１直進ガイド筒１４３のピン部１４３ｅが、Ｚｐ２のG位置から繰り出され、I位置で第１カム溝の前縁２１０ａ１に接触し、ファインダーカム板２１０を回転させながらＪ位置で停止する。このファインダーカム板２１０の回転により、対物レンズのダボ部２１４ｃと２１５ｃはＺｐ２からＺｐ２′に移動し、ファインダーの倍率はＺｐ２′の値となる。
【０１０３】
次に撮影者がカメラのレリーズボタン１３０を押し撮影操作を行うと、カメラは、被写体の距離に応じて、ピント調節を行う為に、第１差動カム筒１４２にモーター１０８からの回転力が付与され、図２１において、１群レンズ鏡筒１４５の１群カムピン１４５ａと２群レンズホルダー１４８の２群カムピン１４８ａは、カム溝のＧ位置から一旦Ｊ位置に移動し、またＬ位置まで繰り出される。
【０１０４】
以上の繰り出しにより、１群レンズ鏡筒１４５に固定されている第１レンズ群１５３と２群レンズホルダー１４８に固定されている第２レンズ群１５２は移動し、被写体距離に応じて、ピント調節が行われ、シャッター（図外）の開閉が行われ、再び、モーター１０８の回転により、１群レンズ鏡筒１４５の１群カムピン１４５ａと２群レンズホルダー１４８の２群カムピン１４８ａは、Ｊ位置に移動停止する。その後、フィルム（図外）の巻き上げが行われ、トリミング倍率がフィルムの磁気層に記録される。
【０１０５】
この撮影動作時のファインダーレンズ移動機構の動きは、図１５において、第１直進ガイド筒１４３のピン部１４３ｅが、Ｚｐ２ ′のＪ位置から繰り込まれ、Ｋ位置で第１カム溝の後縁２１０ａ２に接触し、ファインダーカム板２１０を回転させながらＧ位置でモーターを逆転させ、Ｌ位置まで繰り出し停止する。この位置でシャッターの開閉が行われ、さらにモーターを回転させI位置で第１カム溝の前縁２１０ａ１に接触し、ファインダーカム板２１０を逆回転させながらＪ位置で停止する。このファインダーカム板２１０の往復回転により、対物レンズのダボ部２１４ｃと２１５ｃはＺｐ２′とＺｐ２間を往復移動し、ファインダーの倍率は微小変動する。
【０１０６】
（実焦点距離Ｚｐ２から疑似焦点距離Ｚｐ１ ′までのズーミングと撮影の説明）
撮影レンズがＺｐ２位置にあり、撮影者が、カメラのズーム操作部材を０．１８秒間ワイド方向へ押し続け、ズーミング信号処理回路がズームポジションをＺｐ１ ′と判別した際は、図２２において、モーター１０８の正回転により、第１レンズ群を移動する１群カムピン１４５ａと２群カムピン１４８ａは、Ｇ地点の破線上から、Ｍ地点で停止する。
【０１０７】
この動作時のファインダーレンズ移動機構の動きは、図１６において、第１直進ガイド筒１４３のピン部１４３ｅが、Ｚｐ２のG位置から第１カム溝の前縁に接触しながら繰り込まれ、ファインダーカム板２１０を回転させながらＭ位置で停止する。このファインダーカム板２１０の回転により、対物レンズのダボ部２１４ｃと２１５ｃはＺｐ２からＺｐ１′に移動し、ファインダーの倍率はＺｐ１′の値となる。
【０１０８】
次に撮影者がカメラのレリーズボタン１３０を押し撮影操作を行うと、カメラは、被写体の距離に応じて、ピント調節を行う為に、第１差動カム筒１４２にモーター１０８からの回転力が付与され、図２２において、１群レンズ鏡筒１４５の１群カムピン１４５ａと２群レンズホルダー１４８の２群カムピン１４８ａは、カム溝のＭ位置から一旦Ｎ位置に移動し、またＰ位置まで繰り出し停止される。以上の繰り出しにより、１群レンズ鏡筒１４５に固定されている第１レンズ群１５３と２群レンズホルダー１４８に固定されている第２レンズ群１５２は移動し、被写体距離に応じて、ピント調節が行われ、シャッター（図外）の開閉が行われ、再び、モーター１０８の回転により、１群レンズ鏡筒１４５の１群カムピン１４５ａと２群レンズホルダー１４８の２群カムピン１４８ａは、Ｒ位置に移動停止する。その後、フィルム（図外）の巻き上げが行われ、トリミング倍率がフィルムの磁気層に記録される。
【０１０９】
この撮影動作時のファインダーレンズ移動機構の動きは、図１７において、第１直進ガイド筒１４３のピン部１４３ｅが、Ｚｐ１ ′のＭ位置から第１カム溝の後縁２１０ａ２に接触しながら、ファインダーカム板２１０を回転させながら、繰り込まれ、Ｎ位置でモーターを逆転させ、Ｐ位置まで繰り出し停止する。この位置でシャッターの開閉が行われ、さらにモーターを回転させＱ位置で第１カム溝の前縁２１０ａ１に接触し、ファインダーカム板２１０を逆回転させながらＲ位置で停止する。このファインダーカム板２１０の往復回転により、対物レンズのダボ部２１４ｃと２１５ｃはＺｐ１′とＺｐ１間を往復移動し、ファインダーの倍率は微小変動する。
【０１１０】
（実焦点距離Ｚｐ２から実焦点距離Teleまでのズーミングと撮影の説明）
撮影レンズがＺｐ２位置にあり、撮影者が、カメラのズーム操作部材をTele方向へある時間押し、ズーミング信号処理回路が、ズーム操作部材を押している時間間隔が、疑似焦点距離Ｚｐ３ ′に停止する時間間隔だが、時間間隔が０．３秒以上の為、疑似焦点距離への停止を禁止し、その次の実焦点距離Teleに停止するように判断する。
【０１１１】
そして、図２３において、モーター１０８の正回転により、第１レンズ群を移動する１群カムピン１４５ａと２群カムピン１４８ａは、Ｇ地点の破線上から、I・T地点を通過し、S地点で停止後、モーターを逆転してT地点の破線上の第２カム溝１４４ｂ・第３カム溝１４４ｃ内で停止する。
【０１１２】
この動作時のファインダーレンズ移動機構の動きは、図１８において、第１直進ガイド筒１４３のピン部１４３ｅが、Ｚｐ２のＧ位置から繰り出され、I位置で第１カム溝の前縁２１０ａ１に接触し、ファインダーカム板２１０を回転させながらS位置で停止後、T位置まで繰り込まれる。このファインダーカム板２１０の回転により、対物レンズのダボ部２１４ｃと２１５ｃはＺｐ２からTeleに移動し、ファインダーの倍率はTeleの値となる。
【０１１３】
次に撮影者がカメラのレリーズボタン１３０を押し撮影操作を行うと、カメラは、被写体の距離に応じて、ピント調節を行う為に、第１差動カム筒１４２にモーター１０８からの回転力が付与され、図２３において、１群レンズ鏡筒１４５の１群カムピン１４５ａは、第２カム溝１４４ｂのＴ位置からU位置に移動し、２群レンズホルダー１４８の２群カムピン１４８ａは、第３カム溝１４４ｃのT位置からU位置に移動する。以上の繰り出しにより、１群レンズ鏡筒１４５に固定されている第１レンズ群１５３と２群レンズホルダー１４８に固定されている第２レンズ群１５２は移動し、被写体距離に応じて、ピント調節が行われ、シャッター（図外）の開閉が行われ、モーター１０８を逆回転させ、鏡筒をT位置まで繰り込み、フィルム（図外）の巻き上げが行われる。
【０１１４】
この撮影動作時のファインダーレンズ移動機構の動きは、図１９において、第１直進ガイド筒１４３のピン部１４３ｅが、Ｚｐ２のT位置からU位置まで光軸方向に繰り出すが、第１カム溝２１０ａの前縁２１０ａ１に到達しないため、ファインダーカム板２１０は静止したままである。よって、対物レンズのダボ部２１４ｃと２１５ｃはTeleの位置のまま、ファインダーの倍率は変化しない。
【０１１５】
（フローチャートを用いて、ズーミングの説明）
図２４のフローチャートを用いて、実焦点距離と疑似焦点距離を選択的にズーミングするフローを説明する。
【０１１６】
撮影者が、ズーム操作部材１１８を操作すると、フローＳ２からＳ４にてズーミング信号処理回路１１５でズーミングの方向を測定し、鏡筒駆動用のモーター１０８を回転し始める。この間、ズーミング信号処理回路１１５でズーム操作部材１１８を押している時間を測定し、フローＳ５でズーム操作部材のＯＮ時間が０．３秒未満で有れば、ズーム開始前の焦点距離に隣接する疑似焦点距離に停止する。また０．３秒以上の場合は、フローＳ８で全ての疑似焦点距離への停止を禁止し、ズーム操作部材１１８がＯＦＦになった時点で、フローＳ１０で現在駆動方向の最も近い実焦点距離でモーターを停止する。フロー７でレリーズボタン１３０の第１段ＳＷがＯＮになれば、フローＳ１１〜Ｓ１３で、被写体距離（測定値）に基づいてモーターの回転パルス数を決定して、フローＳ１４でレリーズボタン１３０の第２段ＳＷがＯＮになれば、フローＳ１５〜Ｓ１８で撮影レンズを移動させて、シャッターの開閉を行う。フローＳ１９では、トリミング倍率をフィルムの磁気層に記録し、フローＳ２０では、フィルムに画面種類を記録し、フローＳ２１で終了する。このトリミング倍率の情報を、プリント時に読み取り、トリミングプリントすれば、あたかもその焦点距離で撮影したのと同等の写真が得られる。
【０１１７】
また、図２５のフローチャートを用いて、図２４とは異なる方法で、実焦点距離と疑似焦点距離を選択的にズーミングするフローを説明する。
【０１１８】
図２４と異なる点は、フローＳ５において、前回、ズーム操作部材１１８を操作した時刻と、今回、ズーム操作部材１１８を操作した時刻の差（＝間隔時間）が１．２秒未満ならば、フローＳ６ａに進み、疑似焦点距離でのモーター停止を許可する。また、フローＳ５での間隔時間が１．２秒以上の場合は、全ての疑似焦点距離の停止を禁止する。フローＳ７ではズーム操作部材１１８がＯＦＦになった時点で、フローＳ８で現在駆動方向の最も近い実焦点距離でモーターを停止する。フローＳ９では、次のズーム操作部材１１８の操作に備えて、上記間隔時間の計測を開始する。なお、フローＳ１０以降は、図２４のＳ７以降と同様のフローである。
【０１１９】
（この実施の形態１での特徴）
複数のレンズ群を有し、各レンズ群が各々、結像面に対して光路内で所定の軌跡を描く事によって、像倍率調節と焦点調節を交互に行ない、不連続な実焦点距離で撮影可能な撮影レンズを持つカメラにおいて、その実焦点距離の間に疑似焦点距離を配置したため、機械的構造を追加する事無く、きめ細かいズーミングと撮影が可能となった。
【０１２０】
ワイドと次の実焦点距離Ｚｐ1の間に２つの疑似焦点距離Ｗ′，Ｗ″を配置した為、その間は特にきめ細かいズーミングと撮影が可能となった。
【０１２１】
また、モーター１０８の駆動制御によって、疑似焦点距離での撮影範囲も、撮影レンズやファインダーに機械的構造を追加する事無く、撮影者が撮影範囲を事前に確認可能になった。
【０１２２】
図２４のフローでは、スーム操作部材の操作時間が０．３秒未満の場合のみ、隣接する疑似焦点距離にズーミング可能である為、ズーム操作部材を短時間押すという事は、撮影者が微妙なズーミングを行いたいという意志が有ると、カメラが判断し隣接する疑似焦点距離に停止する。ズーム操作部材を長時間押すという事は、撮影者には大きなズーミングを行いたいという意志が有ると、カメラが判断し、中間の疑似焦点距離の停止を不許可とし、実焦点距離に停止可能としている。この事により、撮影者の意志に合わせたズーミングを可能としながらも、極力、画質の高い実焦点距離での写真を得られる可能性が高くなっている。
【０１２３】
図２５のフローでは、前回ズーム操作部材を操作した時刻と今回ズーム操作部材を操作した時刻の差（＝間隔時間）が１．２秒未満ならば、疑似焦点距離での撮影を許可する為、撮影者が頻繁にズーム操作するという事は、撮影者が微妙なズーミングを行いたいという意志が有ると、カメラが判断し、より細かいズーミングが可能な様に、疑似焦点距離に停止可能としている。
【０１２４】
また、ズーミングの間隔時間が長い場合は、撮影者には新たなズーミングを行いたいという意志が有ると、カメラが判断し、中間の疑似焦点距離の停止を不許可とし、実焦点距離に停止可能としている。
【０１２５】
この事により、撮影者の意志に合わせたズーミングを可能としながらも、極力、画質の高い実焦点距離での写真を得られる可能性が高くなっている。
【０１２６】
（実施の形態２）
図２６から図３２は本発明の実施形態２を示す。
【０１２７】
（レンズ鏡筒機構の説明）
この実施の形態２であるカメラのレンズ鏡筒の構成は、図１〜図２５の実施の形態１と同じである。よって、説明を省略する。
【０１２８】
（ファインダーレンズ移動機構の構造についての説明）
この実施の形態２のファインダーレンズ移動機構の構成は、図９の実施の形態１とほぼ同じで、異なる点は、ファインダー情報表示部３０８が、ＬＣＤ（液晶ディスプレー）であり、その構成を、図２６（ａ）で説明する。
【０１２９】
ファインダー表示制御手段３０２は、図２でも説明したマイコン１１３に接続され、ＬＣＤ駆動手段３０４を制御している。ＬＣＤ駆動手段３０４は、ＬＣＤ３０８の液晶表示であるところの第１撮影範囲マーク３０８ａ、第２撮影範囲マーク３０８ｂ、第３撮影範囲マーク３０８ｃの表示と非表示の切換を行っている。
【０１３０】
このカメラは、露光されたフィルムにおけるプリントすべき縦横比（アスペクト比）の撮影画面種類として、標準画面（アパーチャ全開画面）、パノラマ画面（アパーチャ上下寸法縮小画面）、クラシック画面（アパーチャ左右寸法縮小画面）、の３種類の撮影が可能であり、ファインダー視野をそれらの画面種類に切り換える為に、第１撮影範囲マーク３０８ａ、第２撮影範囲マーク３０８ｂ、第３撮影範囲マーク３０８ｃがある。
【０１３１】
先ず、撮影者が、撮影画面を標準画面（アパーチャ全開画面）に選択した場合は、図２６（ｂ）の様に、何れの撮影範囲マークも見えない状態とし、ファインダーの視野を標準画面（Ｈ）にしている。
【０１３２】
撮影画面をクラシック画面（アパーチャ左右寸法縮小画面）に選択した場合は、図２６（ｃ）の様に、第１撮影範囲マーク３０８ａ、第３撮影範囲マーク３０８ｃを表示して、その部分の透過率を低下させ、ファインダーの視野をクラッシク（Ｃ）にしている。
【０１３３】
撮影画面をパノラマ画面（アパーチャ上下寸法縮小画面）に選択した場合は、図２６（ｄ）の様に、第２撮影範囲マーク３０８ｂ、第３撮影範囲マーク３０８ｃを表示して、その部分の透過率を低下させ、ファインダーの視野をパノラマ（Ｐ）にしている。
【０１３４】
ズーミングによって、疑似焦点距離が選択された場合は、図２６（ｅ）の様に、第１撮影範囲マーク３０８ａ、第２撮影範囲マーク３０８ｂ、第３撮影範囲マーク３０８ｃの全てを表示して、疑似焦点距離で撮影される範囲を示す。
【０１３５】
（レンズ鏡筒の動作の説明）
実施の形態１と同じ為、説明を省略する。
【０１３６】
（沈胴状態からワイド状態までのズーミング動作の説明）
実施の形態１と同じ為、ファインダーの動きは図１０を、撮影レンズの動きは図３１の１群カムピン１４５ａと２群カムピン１４８ａの移動軌跡「Ａ」を参照し、説明を省略する。
【０１３７】
（ワイド状態での撮影）
実施の形態１と同じ為、ファインダーの動きは図１１を、撮影レンズの動きは図３１の移動軌跡「Ｂ」を参照し、説明を省略する。
【０１３８】
（実焦点距離ワイドから実焦点距離Ｚｐ２までのズーミングと撮影の説明）
実施の形態１と同じ為、ファインダーの動きは図１２、図１３を、撮影レンズの動きは図３１の移動軌跡「Ｃ」・「Ｄ」を参照し、説明を省略する。
【０１３９】
（実焦点距離Ｚｐ２から疑似焦点距離Ｚｐ２ ′までのズーミングと撮影の説明）
実施の形態１とは異なり、ズーミング時において、撮影レンズの動きは、図３１の移動軌跡「Ｅ」の様に停止したまま、ファインダーも図２７の通り動かない。ただし、ファインダーのＬＣＤ３０８は、図２６（ｅ）の様に変化し、疑似焦点距離Ｚｐ２ ′の視野に相当する範囲を示す。
【０１４０】
次に、レリーズボタン１３０を押して撮影動作を行うと、撮影レンズの動きは、図３１の移動軌跡「Ｆ」の様に、繰り出し停止後、シャッターを開閉し、また元の位置へ繰り込まれる。ファインダーは、図２８の通り動かない。ファインダーのＬＣＤ３０８は、図２６（ｅ）の状態のままである。
【０１４１】
（実焦点距離Ｚｐ２から疑似焦点距離Ｚｐ１ ′までのズーミングと撮影の説明）
実施の形態１とは異なり、ズーミング時において、撮影レンズの動きは、図３１の移動軌跡「Ｇ」の様にモーター１０８の回転により実焦点距離Ｚｐ１の位置まで移動する。ファインダーも図２９の様に、実焦点距離Ｚｐ２から実焦点距離Ｚｐ１の状態に変化すると共に、ファインダーのＬＣＤ３０８は、図２６（ｅ）の様に変化し、疑似焦点距離Ｚｐ１ ′の視野に相当する範囲を示す。
【０１４２】
次に、レリーズボタン１３０を押して撮影動作を行うと、撮影レンズの動きは、図３１の移動軌跡「Ｈ」の様に、繰り出し停止後、シャッターを開閉し、また元の位置へ繰り込まれる。ファインダーは、図３０の通り動かない。ファインダーのＬＣＤ３０８は、図２６（ｅ）の状態のままである。
【０１４３】
（実焦点距離Ｚｐ２から実焦点距離Teleまでのズーミングと撮影の説明）
実施の形態１と同じ為、ファインダーの動きは図１８、１９を、撮影レンズの動きは図３１の移動軌跡「Ｉ」・「Ｊ」を参照し、説明を省略する。
【０１４４】
（フローチャートを用いて、ズーミングの説明）
図３２のフローチャートを用いて、実焦点距離と疑似焦点距離を選択的にズーミングするフローを説明する。
【０１４５】
撮影者が、ズーム操作部材１１８を操作すると、フローＳ２からＳ４にてズーミング信号処理回路１１５でズーミングの方向を測定し、鏡筒駆動用のモーター１０８を回転し始める。
【０１４６】
さらにフローＳ５・Ｓ６・Ｓ７において、プリントする画面種類がＨサイズの場合は、実焦点距離・疑似焦点距離何れの焦点距離でも撮影可能とする。プリントする画面種類がＣ・Ｐサイズの場合は、疑似焦点距離での撮影を禁止する。
【０１４７】
フローＳ８で、ズーム操作部材１１８のスイッチがＯＦＦであると判断されたら、フローＳ９にて、現在駆動方向で一番近い実焦点距離にレンズを停止させる。
【０１４８】
フローＳ１０でズーム操作部材１１８が指示している焦点距離が疑似焦点距離の場合は、フローＳ１１で図２６（ｅ）の様にファインダーの液晶表示を切換、ファインダー視野を撮影しようとしている疑似焦点距離の視野にあわせる。また、フローＳ１０で、ズーム操作部材１１８が指示している焦点距離が実焦点距離の場合は、フローＳ１２で、撮影しようとしている画面種類に合わせて、ファインダーの液晶表示をＣ・Ｈ・Ｐの何れかに切換る。
【０１４９】
フローＳ１３でレリーズボタンの第１段ＳＷがＯＮになればフローＳ１４〜Ｓ１６で、被写体距離（測定値）に基づいてモーターの回転パルス数を決定して、フローＳ１７でレリーズボタンの第２段ＳＷがＯＮになれば、フローＳ１８〜Ｓ２１で撮影レンズを移動させて、シャッターの開閉を行う。フローＳ２２では、画面種類とトリミング倍率を兼用した信号を、フィルムの磁気層に記録する。
【０１５０】
この兼用した信号とは、３種類の画面種類の信号として、Ｃ信号（クラシック画面に対応した信号）、Ｈ信号（標準画面に対応した信号）、Ｐ信号（パノラマ画面に対応した信号）の何れかを書き込み、疑似焦点距離のトリミング時には、Ｃ信号とＰ信号の両方を書き込む事である。
【０１５１】
この画面種類とトリミング倍率の情報を、プリント時に読み取り、トリミングプリントすれば、あたかもその画面種類と焦点距離で撮影したのと同等の写真が得られる。
【０１５２】
（この実施の形態２での特徴）
露光された像記録媒体におけるプリントすべき縦横比（アスペクト比）の画面種類として、標準画面（アパーチャ全開画面）、パノラマ画面（アパーチャ上下寸法縮小画面）、クラシック画面（アパーチャ左右寸法縮小画面）、の３種類を選択可能で、その撮影範囲をファインダーに切り換え表示可能なカメラにおいて、そのファインダー切り換え機構を疑似焦点距離の撮影範囲表示にも使用する為、撮影レンズやファインダーに新たな構造を追加する事無く、撮影者が撮影範囲を事前に確認可能になった。
【０１５３】
また、プリントする際、画面面積が小さいパノラマ画面とクラシック画面時は疑似焦点距離での撮影を禁止し、標準画面時のみ画面面積が小さくなる疑似焦点距離での撮影を許可している為、プリントする画質があまり低下しない写真が得られる。
【０１５４】
（実施の形態３）
図３３から図３６は実施の形態３を示す。図３３（ａ）はこの実施の形態３の電子式カメラの横断面図、（ｂ）は背面図を示す。図３３（ａ）において、この電子式カメラは、大きくはレンズ鏡筒部５０１と本体５００から成り、レンズ鏡筒部５０１は、本体前面に固定された固定筒５０２の内径部に、回転可能に固定されたカム筒５０３が配置されている。凸レンズである第１レンズ群５０４と凹レンズである第２レンズ群５０５は、それらのレンズから突出したカムピンが前記固定筒５０２とカム筒５０３に形成されたカム溝に嵌入して、カム筒５０３の回転により、光軸方向に前後して、像倍率調節と焦点調節を交互に行なう。このカム形状は、実施の形態１・２で示した形状と相似している。
【０１５５】
本体５００側には、カム筒を駆動する為のモーター５１０と、モーターの回転をカム筒に伝える連結ギア５１１が配置されている。
【０１５６】
本体上面には、レリーズボタン５１２、本体背面には、レンズの焦点距離の望遠側への移動を指示するボタンと広角側への移動を指示するボタンから成るズーム操作部材５１３と、撮影する被写体を撮影者に示す液晶表示板５１４が配置されている。ボディ内部には、第１レンズ群５０４と第２レンズ群５０５によって形成される被写体像を電気信号に変換するＣＣＤやＣＭＯＳ等の電子式撮像素子５１５と、画像を記録するコンパクトフラッシュ（登録商標）カード等の画像記録媒体５１６が配置されている。
【０１５７】
本体５００の背面には、画質設定スイッチ５２０があり、電子式撮像素子５１５の全画素の電気信号を記録するFINE(高画質)モードと、電子式撮像素子５１５の画素の一部の電気信号を記録するNORMAL(低画質)モードとに切り換えられる。
【０１５８】
また、本体５００の背面には、プリント倍率設定スイッチ５２１があり、Ａ４（約２１０mm×２９７mm）サイズ以上のプリントをする事を設定するＡ４モードと、Ａ４より小さいサイズのプリントをする事を設定するＡ５モードとに切り換えられる。
【０１５９】
本体内部に配置されたマイコン５１７は、前記ズーム操作部材５１３が操作された際は、操作信号を処理して、モーター５１０を回転制御し、所定の焦点距離にレンズ群をズーミングする。このズーミング中に電子式撮像素子５１５に結像される像のボケ量の変化から、合焦している位置にレンズを停止させる（これはテレビＡＦとも言われている方法である）。また、前記レリーズボタン５１２が押された際は、レリーズボタンからの信号を受信し、前記電子式撮像素子５１５からの電気信号を画像処理し、画像記録媒体５１６に記録する。
【０１６０】
ズーム操作部材５１３によって選択された焦点距離が、実焦点距離の場合は、図３３（ｂ）の背面図に示された様に、電子式撮像素子５１５に結像された全被写体像が、マイコン５１７の画像処理によって、液晶表示板５１４に表示される。
【０１６１】
ズーム操作部材５１３によって選択された焦点距離が、疑似焦点距離の場合は、図３４の背面図に示された様に、電子式撮像素子５１５に結像された全被写体像が、マイコン５１７に記録されているトリミング倍率を用いて撮影される範囲を示す画像に切り取り処理され、液晶表示板５１４に表示される。
【０１６２】
ズーム操作部材５１３によって選択された焦点距離が、疑似焦点距離の場合の別の例として、図３５の背面図に示された様に、電子式撮像素子５１５に結像された全被写体像と共に、マイコン５１７に記録されているトリミング倍率を用いて撮影される範囲を実線で示し、撮影されない範囲はコントラストを下げて表示する画像に処理され、液晶表示板５１４に表示しても良い。
【０１６３】
（フローチャートを用いて、ズーミングの説明）
図３６のフローチャートを用いて、実焦点距離と疑似焦点距離を選択的にズーミングするフローを説明する。
【０１６４】
撮影者が、ズーム操作部材５１３を操作すると、フローＳ２からＳ４にてズーミングの方向を測定し、鏡筒駆動用のモーター５１０を回転し始める。
【０１６５】
フローＳ５でズーム操作部材の操作が終了したことを検知すれば、フローＳ６で、現在駆動方向の次の実焦点距離でモーターを停止し、鏡筒自体のズーミングを終了する。
【０１６６】
フローＳ７で、ズーム操作部材の指示が疑似焦点距離の場合、フローＳ８で事前にカメラ背面の画質設定スイッチ５２０で設定した画質モードに従って、フローＳ９で低画質（NORMAL）モードの際は、フローＳ１２に進む。
【０１６７】
フローＳ１０からＳ１１では、事前にカメラ背面のプリントサイズ設定スイッチ５２１でＡ４が設定されている場合は、ズーム操作部材とマイコンによって自動的に決定されるトリミング倍率を１倍〜１．３倍の範囲に規制する。また、プリントサイズ設定スイッチ５２１でＡ５が設定されている場合は、ズーム操作部材とマイコンによって自動的に決定されるトリミング倍率を１倍〜２倍の範囲に規制する。
【０１６８】
そして、フローＳ１２で、液晶表示板５１４に、電子式撮像素子５１５によって得られる被写体像を、ズーム操作部材によって自動的に決定されるトリミング倍率で、トリミングして表示する。
【０１６９】
フローＳ７とＳ９で、判断がＮＯの場合は、フローＳ１３で、電子式撮像素子５１５によって得られる被写体像を、トリミング無しで表示する。
【０１７０】
フローＳ１４でレリーズボタンの第１段ＳＷがＯＮになればフローＳ１５〜Ｓ１７で、被写体距離（測定値）に基づいてモーターの回転パルス数を決定して、フローＳ１８でレリーズボタンの第２段ＳＷがＯＮになれば、フローＳ１９〜Ｓ２２で撮影レンズを移動させて、シャッターの開閉を行う。
【０１７１】
フローＳ２３では、ズーム操作部材とマイコンによって自動的に決定されるトリミング倍率で、画像記録媒体５１６に、画像を記録する。
【０１７２】
（この実施の形態３での特徴）
電子式カメラにおいて、複数のレンズ群を有し、各レンズ群が各々、結像面に対して光路内で所定の軌跡を描く事によって、像倍率調節と焦点調節を交互に行ない、不連続な焦点距離で撮影可能な撮影レンズを持つ場合、実焦点距離の間に疑似焦点距離を設けた事により、よりきめ細かいズーミングが可能となった。
【０１７３】
また、被写体の表示を電子式画像表示で行っているため、疑似焦点距離の表示も新たな機構を用いなくても、撮影範囲を表示可能である。
【０１７４】
撮影者が高画質な写真を撮影する為に、画質設定スイッチをＦＩＮＥにした場合、カメラが疑似焦点距離を禁止し、撮影者が望む高画質な写真が撮影可能となる。
【０１７５】
撮影者がプリントサイズ設定スイッチで設定したプリントサイズに基づき、トリミング倍率値の上限を決定するため、撮影者が望むプリントサイズに引き伸ばしても、画質の低下が目立たない写真が得られる。
【０１７６】
（実施の形態4）
図３７、３８、３９は実施の形態４を示す。
【０１７７】
この実施の形態のカメラは、実焦点距離の望遠端の焦点距離よりも、さらに望遠の写真撮影が可能なＴ′とＴ″という疑似焦点距離を２つ持つカメラである。実施の形態1のカメラと異なる部分は、第２差動カム筒１４４に配置された第２カム溝１４４ｂと第３カム溝１４４ｃの形状と、ファインダーカム板２１０上の第１カム溝２１０ａと第２および第３カム溝２１０ｂ，２１０ｃの形状である。
【０１７８】
図３７は、第２差動カム筒１４４の内径部の展開図であり、第１レンズ群１５３を駆動する第２カム溝１４４ｂと、第２レンズ群１５２を駆動する第３カム溝１４４ｃが配置されている。
【０１７９】
第１レンズ群１５３を保持する１群レンズ鏡筒１４５の外側に設けられた３本の１群カムピン１４５ａと、第２レンズ群１５２を保持する２群レンズホルダー１４８の外側に設けられた３本の２群カムピン部１４８ａは、実焦点距離のテレ状態である図の実線丸印位置にある。このテレ（Tele）位置からＴ′、そしてＴ″の間のカム部は、疑似焦点距離へのズーミングに使用される部分である。
【０１８０】
図３９で、ファインダーカム板２１０上の第１カム溝の前端２１０ａ１は、テレ（Tele）位置からＴ″へ延長されている。第１カム溝の後端２１０ａ２も、テレ（Tele）位置からＴ″へ延長されているが、その傾きはワイドからテレまでとは異なっている。第２カム溝２１０ｂおよび第３カム溝２１０ｃは、テレ（Tele）位置からＴ″へとファインダーがＴ′Ｔ″の疑似焦点距離での撮影範囲を示す様に、カム溝が曲線的に延長されている。
【０１８１】
次に、テレ状態からＴ′を越え、Ｔ″へのズーミング動作について述べる。
【０１８２】
撮影レンズがテレ位置にあり、撮影者が、カメラのズーム操作部材をある時間押し続け、ズーミング信号処理回路がズームポジションをＴ″と判別した際は、モーター１０８の正回転により、第１レンズ群を移動する１群カムピン１４５ａと第２群レンズを動かす２群カムピン１４８ａは、Ｔ′を超え、Ｔ″で停止する。
【０１８３】
このモータの回転により、図３９の様に、第１直進ガイド筒１４３のピン部１４３ｅが、第１カム溝２１０ａ内でＴ位置からＡ位置まで繰り出し、第１カム溝の前端２１０ａ１に接触後、ファインダーカム板２１０を回転させながら、Ｂ位置を通過しＣ位置まで移動し、ファインダーカム板２１０を回転させる。この図３９では、説明の便宜上、第１直進ガイド筒１４３のピン部１４３ｅが紙面の上下左右に移動して書かれているが、実際は、紙面の上下（光軸方向）のみ移動し、ファインダーカム板が紙面の左右（光軸周りの回転）への移動を行っている。
【０１８４】
このファインダーカム板２１０の回転により、ファインダーの対物レンズのダボ部２１４ｃと２１５ｃはテレ（Tele）位置からＴ′を超え、Ｔ″に移動し、ファインダーの視野範囲が疑似焦点距離のＴ″に変化する。
【０１８５】
次に撮影者がカメラのレリーズボタン１３０を押し撮影操作を行うと、カメラは、被写体の距離に応じて、ピント調節を行う為に、第１差動カム筒１４２にモーター１０８からの回転力が付与され、第１直進ガイド筒１４３のピン部１４３ｅが、Ｃ位置からＤ位置に繰り込まれ第１カム溝の後端２１０ａ２に接触し、ファインダーカム板を逆回転させながらＥ位置を通過しＴ位置で一旦停止した後、モーターの逆回転により、被写体距離に応じたＴとＡの間の位置に移動停止する。そして、シャッターの開閉、フィルムの巻上げ後、モーター１０８の回転により、再びＣ位置の疑似焦点距離のＴ″へ戻る。
【０１８６】
この様に、像倍率調節と焦点調節を交互に行う様に、前記各レンズ群を各々、結像面に対して光路内で所定の軌跡を描く事によって案内する第２差動カム筒１４４に配置された第２カム溝１４４ｂと第３カム溝１４４ｃのテレ端側を延長する事で、テレ端から、テレ端の焦点距離以上の疑似焦点距離での被写体範囲を、ファインダーで連続的に変化させることが可能である。
【０１８７】
図３８では、第２差動カム筒１４４に配置された第２カム溝１４４ｂと第３カム溝１４４ｃのテレ端側を延長する際、カムの傾きを小さくする事で、撮影レンズの移動量を小さくし、小さい力でズーミング可能としている。またワイド端からＴ″までの第２カム溝１４４ｂの総繰り出し量が小さくなる為、レンズ鏡筒を短くでき、カメラを小型にできる。
【０１８８】
【発明の効果】
以上説明したように、本発明によれば、撮影者がズーミングの微調整を求める際は、焦点距離に対応した位置（実焦点距離）と共に、トリミング倍率に対応した位置（疑似焦点距離）も使用することで、ズーミングの微調整が可能となり、それ以外の際には、実焦点距離の撮影を行うことで、高画質の写真撮影が可能な光学機器（カメラおよび電子式カメラ）を提供できる。
【図面の簡単な説明】
【図１】本発明の実施の形態1であるレンズ鏡筒の分解斜視図
【図２】上記レンズ鏡筒の沈胴状態と、制御回路の構成を表す断面図
【図３】上記レンズ鏡筒のワイド状態を表す断面図
【図４】上記レンズ鏡筒のテレ状態を表す断面図
【図５】固定筒の展開図
【図６】第１直進ガイド筒の展開図
【図７】第２差動カム筒の展開図
【図８】第２差動カム筒の各レンズ群の移動用カム軌跡の説明図
【図９】ファインダーレンズ移動機構の分解斜視図
【図１０】ファインダーカム板の展開図（沈筒からワイドへのズーミング）
【図１１】ファインダーカム板の展開図（ワイドでのフォーカシング）
【図１２】ファインダーカム板の展開図（ワイドからＺｐ２へのズーミング）
【図１３】ファインダーカム板の展開図（Ｚｐ２でのフォーカシング）
【図１４】ファインダーカム板の展開図（Ｚｐ２からＺｐ２´へのズーミング）
【図１５】ファインダーカム板の展開図（Ｚｐ２´でのフォーカシング）
【図１６】ファインダーカム板の展開図（Ｚｐ２からＺｐ１´へのズーミング）
【図１７】ファインダーカム板の展開図（Ｚｐ１´でのフォーカシング）
【図１８】ファインダーカム板の展開図（Ｚｐ２からテレへのズーミング）
【図１９】ファインダーカム板の展開図（テレでのフォーカシング）
【図２０】第２差動カム筒の展開図（沈筒からワイドへのズーミング、ワイドでのフォーカシング、ワイドからＺｐ２へのズーミング、Ｚｐ２でのフォーカシング）
【図２１】第２差動カム筒の展開図（Ｚｐ２からＺｐ２´へのズーミング、Ｚｐ２´でのフォーカシング）
【図２２】第２差動カム筒の展開図（Ｚｐ２からＺｐ１´へのズーミング、Ｚｐ１´でのフォーカシング）
【図２３】  第２差動カム筒の展開図（Ｚｐ２からテレへのズーミング、テレでのフォーカシング）
【図２４】実施の形態１での撮影のフローチャート図
【図２５】実施の形態１でのもう1つの異なる撮影動作のフローチャート図
【図２６】（ａ）は実施の形態２でのファインダー情報表示部のブロック図、（ｂ）はＨサイズ時のファインダー表示、（ｃ）はＣサイズ時のファインダー表示、（ｄ）はＰサイズ時のファインダー表示、（ｅ）は疑似焦点距離時のファインダー表示を示す
【図２７】実施の形態２でのファインダーカム板の展開図（Ｚｐ２からＺｐ２´へのズーミング、実際はＺｐ２の位置に停止している）
【図２８】実施の形態２でのファインダーカム板の展開図（Ｚｐ２´でのフォーカシング、実際はＺｐ２でフォーカシングしている）
【図２９】実施の形態２でのファインダーカム板の展開図（Ｚｐ２からＺｐ１´へのズーミング、実際はＺｐ１へズーミング移動される）
【図３０】実施の形態２でのファインダーカム板の展開図（Ｚｐ１´でのフォーカシング、実際はＺｐ１でフォーカシングしている）
【図３１】実施の形態２での第２差動カム筒の展開図で、ズーミングとフォーカシングの動きを示している。
【図３２】実施の形態２での撮影のフローチャート
【図３３】実施の形態３でのカメラの横断面図と背面図
【図３４】第１の疑似焦点距離時でのカメラの背面図
【図３５】第２の疑似焦点距離時でのカメラの背面図
【図３６】実施の形態２での撮影のフローチャート
【図３７】第２差動カム筒の展開図
【図３８】図３７とは異なる形状の第２差動カム筒の展開図
【図３９】ファインダーカム板の展開図
【図４０】従来例である、レンズ軌跡の図
【図４１】従来例である、図２１の拡大図
【図４２】実施の形態１の焦点距離と出力信号の対応表
【符号の説明】
１０８…モーター１０９…パルス板１１０…パルス検出回路１１１…モーターコントロール回路１1２a…コンパレータ１１２b…コンパレータ１１３…マイコン１１４…被写体距離検出回路１１５…ズーミング信号処理回路１１６…はロジックコントロール回路１１７…測距モジュール１１８…ズーミング操作部材１２０…長軸ギア１２２…ＰＩ(フォトインターラプター)１３０…レリーズボタン１４１…固定筒１４１ａ…メスヘリコイド１４１ｂ…フランジ部分１４１ｃ…穴１４１ｄ…キー溝１４１ｆ・１４１ｇ…突部１４２…第１差動カム筒１４２ａ…後端外周部１４２ｃ・１４２ｄ…直進溝１４３…第１直進ガイド筒１４３…ａ後端フランジ部１４３ｂ…第１カム溝１４３ｃ…突起部１４３ｄ…台部１４３ｅ…ピン部１４４…第２差動カム筒１４４ａ…開口１４４ｂ…第２カム溝１４４ｃ…第３カム溝１４５…１群レンズ鏡筒１４５ａ…１群カムピン１４６…ナットリング１４６ａ…ナット部１４７…第２直進ガイド筒１４７ｂ…後端フランジ部１４７ｃ…爪部１４８…２群レンズホルダー１４８ａ…２群カムピン部１４９… 第１フレアカット板１４９ａ…開口１４９ｂ…係合部１５０…第２フレアカット板１５０ａ…被係合部１５０ｅ…開口１５１…第２差動カム筒駆動ピン１５２…第２レンズ１５３…板バネ１５４…固定リング１５９…カメラ本体２１０…ファインダーカム板２１０ａ…第１カム溝２１０ｂ，２１０ｃ…第２および第３カム溝２１０ｄ…端面２１１…ファインダー地板２１１ａ…穴部２１１ｂ…溝部２１２，２１３…ファインダー対物レンズ群２１４，２１５…対物レンズ枠２１４ａ，２１５ａ…穴部２１４ｂ，２１５ｂ…ダボ部２１４ｃ，２１５ｃ…ダボ部２１６…ファインダーガイドバー２１７…カム板固定バネ２１７ａ…突部２１８…三角プリズム２１９…ダハプリズム２２０…接眼レンズ３０２…ファインダー表示制御手段３０３…磁気記録手段３０８…ファインダー情報表示部（LCD：液晶ディスプレー）３０４…ＬＣＤ駆動手段３０８ａ…撮影範囲マーク１３０８ｂ…撮影範囲マーク２３０８ｃ…撮影範囲マーク３５００…本体５０１…レンズ鏡筒部５０２…固定筒５０３…カム筒５０４…第１レンズ群５０５…第２レンズ群５１０…モーター５１１…連結ギア５１２…レリーズボタン５１３…ズーム操作部材５１４…液晶表示板５１５…電子式撮像素子５１６…画像記録媒体５１７…マイコン５２０…画質設定スイッチ５２１…プリント倍率設定スイッチ
【図１】
0004035322.tif 000002
【図３】
0004035322.tif 000003
【図４】
0004035322.tif 000004
【図５】
0004035322.tif 000005
【図６】
0004035322.tif 000006
【図７】
0004035322.tif 000007
【図８】
0004035322.tif 000008
【図１０】
0004035322.tif 000009
【図１１】
0004035322.tif 000010
【図１２】
0004035322.tif 000011
【図１３】
0004035322.tif 000012
【図１４】
0004035322.tif 000013
【図１５】
0004035322.tif 000014
【図１６】
0004035322.tif 000015
【図１７】
0004035322.tif 000016
【図１８】
0004035322.tif 000017
【図１９】
0004035322.tif 000018
【図２０】
0004035322.tif 000019
【図２１】
0004035322.tif 000020
【図２２】
0004035322.tif 000021
【図２３】
0004035322.tif 000022
【図２４】
0004035322.tif 000023
【図２５】
0004035322.tif 000024
【図２６】
0004035322.tif 000025
【図２７】
0004035322.tif 000026
【図２８】
0004035322.tif 000027
【図２９】
0004035322.tif 000028
【図３０】
0004035322.tif 000029
【図３１】
0004035322.tif 000030
【図３４】
0004035322.tif 000031
【図３５】
0004035322.tif 000032
【図３６】
0004035322.tif 000033
【図３７】
0004035322.tif 000034
【図３８】
0004035322.tif 000035
【図３９】
0004035322.tif 000036
【図４０】
0004035322.tif 000037
【図４１】
0004035322.tif 000038
【図２】
0004035322.tif 000039
【図９】
0004035322.tif 000040
【図３２】
0004035322.tif 000041
【図３３】
0004035322.tif 000042
【図４２】
0004035322.tif 000043